(57)【要約】【課題】戸体の開動作が不能となることを抑制できるラッチ錠装置及び該ラッチ錠装置を備える扉装置を提供する。【解決手段】ラッチ錠装置１０は、ラッチ部材２０と、カム部材２２と、ロック機構２４とを備える。カム部材２２は、ハンドル１４と連動して回転するカム本体４０と、ラッチ部材２０に当接し、ラッチ２８が錠ケース１８内に没入する方向へとラッチ部材２０を移動させるアーム４２ａ，４２ｂとを有し、ロック機構２４は、ラッチ２８が錠ケース１８外へと突出した位置にある状態で、カム本体４０と当接することにより、カム本体４０の回転を規制するロック部材４８を有する。【選択図】図４
2019183486.tif 000002
【特許請求の範囲】
【請求項１】
錠ケースの内部で進退可能に設けられ、先端側に設けられたラッチが前記錠ケースの外面から出没可能なラッチ部材と、
ハンドルの回転操作と連動して回転し、前記ラッチ部材を進退させるカム部材と、
前記ラッチが前記錠ケース内に没入する方向への前記ラッチ部材の移動を規制するロック機構と、
を備えるラッチ錠装置であって、
前記カム部材は、前記ハンドルと連動して回転するカム本体と、前記ラッチ部材に当接し、前記ラッチが前記錠ケース内に没入する方向へと前記ラッチ部材を移動させるアームと、を有し、
前記ロック機構は、前記ラッチが前記錠ケース外へと突出した位置にある状態で、前記カム本体と当接することにより、前記カム本体の回転を規制するロック部材を有することを特徴とするラッチ錠装置。
【請求項２】
請求項１に記載のラッチ錠装置において、
前記カム本体には、凹部又は凸部が設けられ、
前記ロック部材は、前記カム本体の前記凹部又は前記凸部と当接することにより、前記カム本体の回転を規制することを特徴とするラッチ錠装置。
【請求項３】
請求項１又は２に記載のラッチ錠装置において、
前記ロック部材は、前記カム本体に当接した状態で、前記ラッチ部材の基端面と対向する位置に配置されるものであり、
前記ラッチ部材は、前記ロック部材を挿入可能な溝部を有することを特徴とするラッチ錠装置。
【請求項４】
請求項３に記載のラッチ錠装置において、
前記ラッチ部材は、先端側に設けられた前記ラッチと、基端側に設けられた頭部と、前記ラッチと前記頭部との間を繋ぎ、前記頭部よりも小径な軸部と、を有し、
前記頭部は、前記軸部の外周面から膨らむように設けられ、前記アームが前記ラッチ側から当接する当接面と、前記ラッチ側と反対側を向いた前記基端面と、を有し、
前記溝部は、前記基端面から前記ラッチ部材の軸方向へと切り込んだスリット形状を有し、
前記ロック部材は、前記溝部に挿入可能な平板形状を有することを特徴とするラッチ錠装置。
【請求項５】
請求項１〜４のいずれか１項に記載のラッチ錠装置と、該ラッチ錠装置を組み付けた戸体と、を備えることを特徴とする扉装置。
【発明の詳細な説明】
【技術分野】
【０００１】
本発明は、ラッチ錠装置及び該ラッチ錠装置を戸体に組み付けた扉装置に関する。
【背景技術】
【０００２】
例えば住宅等の建物内で室内外を仕切る扉装置は、戸体の見込み面から出没することにより、枠側の凹部に係合するラッチを備え、戸体の施錠及び解錠を行うラッチ錠装置が設けられることがある。例えば特許文献１には、錠ケースの外面から出没するラッチを先端側に設けたラッチ部材と、ハンドルの回転操作に連動して回転し、ラッチを錠ケース内に没入させる方向にラッチ部材を移動させるカム部材と、ラッチ部材の移動を規制するロック機構と、を備えたラッチ錠装置が開示されている。
【先行技術文献】
【特許文献】
【０００３】
【特許文献１】特許第３５８５８６５号公報
【発明の概要】
【発明が解決しようとする課題】
【０００４】
上記特許文献１のカム部材は、ハンドルの回転軸が嵌合したカム本体の外周面からラッチ部材を移動させるためのアームが突出している。そして、ロック機構は、サムターンと連動して移動するロック部材が、カム部材のアームの先端を係止し、これによりラッチ部材の移動を規制する構造となっている。このため、ロック部材によってラッチ部材の移動が規制された施錠状態において、例えばハンドルが開方向へと衝撃的に回転操作された場合、アームがロック部材に対して強い力で押し付けられる。その結果、アームが破損した場合には、ハンドル操作によってラッチの施錠状態を解除することができなくなり、戸体を開くことができなくなる恐れがある。そうすると、利用者は例えば戸体やラッチ錠装置を破壊しないと戸体を開動作させることができない事態となる。特に、この構成では、ロック部材がアームの突出端を係止するため、ハンドルによってカム部材が強制回転された際、アームには相当な大きさのモーメント力が付与されることになり、アームが一層破損し易い構造となっている。
【０００５】
本発明は、上記従来技術の課題を考慮してなされたものであり、戸体の開動作が不能となることを抑制できるラッチ錠装置及び該ラッチ錠装置を備える扉装置を提供することを目的とする。
【課題を解決するための手段】
【０００６】
本発明に係るラッチ錠装置は、錠ケースの内部で進退可能に設けられ、先端側に設けられたラッチが前記錠ケースの外面から出没可能なラッチ部材と、ハンドルの回転操作と連動して回転し、前記ラッチ部材を進退させるカム部材と、前記ラッチが前記錠ケース内に没入する方向への前記ラッチ部材の移動を規制するロック機構と、を備えるラッチ錠装置であって、前記カム部材は、前記ハンドルと連動して回転するカム本体と、前記ラッチ部材に当接し、前記ラッチが前記錠ケース内に没入する方向へと前記ラッチ部材を移動させるアームと、を有し、前記ロック機構は、前記ラッチが前記錠ケース外へと突出した位置にある状態で、前記カム本体と当接することにより、前記カム本体の回転を規制するロック部材を有することを特徴とする。
【０００７】
このような構成によれば、ロック部材がカム本体に当接してカム本体の回転を規制し、これにより当該ラッチ錠装置が施錠状態となる。このため、例えばこの施錠状態において、ハンドルが極めて大きな力で開方向に強制的に回転させられた場合であっても、ロック部材又はカム本体の一部が破損する可能性があるが、アームが破損することはない。従って、このようなハンドルの強制回転によって、例えばカム本体の一部が破損した場合であっても、その後のハンドルの開方向への回転操作により、アームを介してラッチ部材を移動させることができる。その結果、ラッチを錠ケース内へと没入させることができるため、戸体の開動作が不能となることがなく、利用者はハンドル操作によって容易に戸体を開くことができる。
【０００８】
本発明に係るラッチ錠装置において、前記カム本体には、凹部又は凸部が設けられ、前記ロック部材は、前記カム本体の前記凹部又は前記凸部と当接することにより、前記カム本体の回転を規制する構成としてもよい。そうすると、カム本体の回転をロック部材によって一層確実に規制することができる。
【０００９】
本発明に係るラッチ錠装置において、前記ロック部材は、前記カム本体に当接した状態で、前記ラッチ部材の基端面と対向する位置に配置されるものであり、前記ラッチ部材は、前記ロック部材を挿入可能な溝部を有する構成としてもよい。そうすると、仮に施錠状態でロック機構が不具合を生じ、ロック部材がラッチ部材の位置が進退動作範囲内で固定されてしまった場合であっても、ラッチ部材は溝部でロック部材を避けて移動することができる。
【００１０】
本発明に係るラッチ錠装置において、前記ラッチ部材は、先端側に設けられた前記ラッチと、基端側に設けられた頭部と、前記ラッチと前記頭部との間を繋ぎ、前記頭部よりも小径な軸部と、を有し、前記頭部は、前記軸部の外周面から膨らむように設けられ、前記アームが前記ラッチ側から当接する当接面と、前記ラッチ側と反対側を向いた前記基端面と、を有し、前記溝部は、前記基端面から前記ラッチ部材の軸方向へと切り込んだスリット形状を有し、前記ロック部材は、前記溝部に挿入可能な平板形状を有する構成としてもよい。そうすると、ラッチ部材の溝部に対し、より確実にロック部材を挿入することができる。また、例えばハンドルが極めて大きな力で開方向に強制的に回転させられた場合には、カム部材のアームがラッチ部材の頭部の当接面を乗り越えてしまった脱落状態となる可能性がある。ところが、この脱落状態となった場合であっても、スリット形状の溝部による弾性によってラッチ部材が径方向に拡縮するため、ハンドルを開方向とは逆の閉方向に回転操作するだけで、容易にラッチ部材とアームとの当接状態を復元することができる。
【００１１】
本発明に係る扉装置は、上記構成のラッチ錠装置と、該ラッチ錠装置を組み付けた戸体と、を備えることを特徴とする。このような構成によれば、例えばハンドルが極めて大きな力で開方向に強制的に回転させられ、ラッチ錠装置が不具合を生じた場合であっても、戸体を破壊することなく戸体を開くことが可能となる。
【発明の効果】
【００１２】
本発明によれば、戸体の開動作が不能となることを抑制することができる。
【図面の簡単な説明】
【００１３】
【図１】本発明の一実施形態に係るラッチ錠装置の解錠状態での内部構造を示す正面図である。
【図２】図１に示すラッチ錠装置を戸体に組み付けた状態での側面図である。
【図３】図１に示すラッチ錠装置のハンドルを開方向に回転操作した状態での正面図である。
【図４】図１に示すラッチ錠装置の施錠状態での内部構造を示す正面図である。
【図５】図５（Ａ）は、ラッチ部材の平面図であり、図５（Ｂ）は、ラッチ部材の正面図である。
【図６】カム部材の構成を示す斜視図である。
【図７】図７（Ａ）は、ラッチ部材がカム部材のアームから脱落した状態を示す要部拡大平面図であり、図７（Ｂ）は、図７（Ａ）に示す状態からハンドルが回転操作された状態を示す要部拡大平面図であり、図７（Ｃ）は、図７（Ｂ）に示す状態からラッチ部材とカム部材のアームとの間の係合状態が復元された状態を示す要部拡大平面図である。
【図８】図８（Ａ）は、施錠状態でのラッチ部材とアームとロック部材との位置関係を示す要部拡大平面図であり、図８（Ｂ）は、図８（Ａ）に示す状態からハンドルが回転操作された状態を示す要部拡大平面図であり、図８（Ｃ）は、図８（Ａ）に示す状態からラッチ部材が強制的に移動させられた状態を示す要部拡大平面図である。
【図９】図９（Ａ）は、変形例に係るカム本体を備えたラッチ錠装置の解錠状態での内部構造を示す要部拡大正面図であり、図９（Ｂ）は、図９（Ａ）に示すラッチ錠装置の施錠状態での内部構造を示す要部拡大正面図である。
【発明を実施するための形態】
【００１４】
以下、本発明に係るラッチ錠装置について、この装置を備える扉装置を例示して好適な実施の形態を挙げ、添付の図面を参照しながら詳細に説明する。
【００１５】
図１は、本発明の一実施形態に係るラッチ錠装置１０の解錠状態での内部構造を示す正面図である。図２は、図１に示すラッチ錠装置１０を戸体１２に組み付けた状態での側面図である。図３は、図１に示すラッチ錠装置１０のハンドル１４を開方向に回転操作した状態での正面図である。図４は、図１に示すラッチ錠装置１０の施錠状態での内部構造を示す正面図である。本実施形態のラッチ錠装置１０は、例えば住宅等の建物内で室内外を仕切る扉装置１６の戸体１２の戸先側に組み付けられ、戸体１２を閉じ位置で保持すると共に、戸体１２の施錠及び解錠を行う装置である。
【００１６】
図１及び図２に示すように、ラッチ錠装置１０は、錠ケース１８と、ラッチ部材２０と、カム部材２２と、ロック機構２４とを備える。
【００１７】
錠ケース１８は、金属や樹脂で形成されたケースである。錠ケース１８は、内部にラッチ部材２０、カム部材２２及びロック機構２４を収納するハウジング部１８ａと、戸体１２の見込み面１２ａに略面一に取り付けられる取付板１８ｂとを有する。ハウジング部１８ａは、見込み方向で一対のカバー材１８ｃ，１８ｃを貼り合わせることにより、その間にラッチ部材２０等の収納空間を形成している。図１等では、一方のカバー材１８ｃを他方のカバー材１８ｃから取り外した状態を示している。取付板１８ｂは、戸体１２の見込み面１２ａに対して上下一対のねじ２６，２６を用いて締結され（図２参照）、これによりラッチ錠装置１０が戸体１２に固定される。
【００１８】
なお、本出願において、見込み方向とは扉装置１６の室内外方向、つまり室内側から室外側に向かう方向又はその逆方向（図中に矢印Ｙで示す方向）をいい、見込み面とは見込み方向に沿って延在する面をいう。また、この見込み方向に直交する方向のうち、扉装置１６の高さ方向に当たる上下方向を図中に矢印Ｚで示し、扉装置１６の幅方向に当たる左右方向を図中に矢印Ｘで示す。そこで、ラッチ錠装置１０についても、図１及び図２に示す戸体１２への取付状態を基準とし、各図中に矢印Ｘ，Ｙ，Ｚを図示して各部材の配置や動作方向等を説明する。
【００１９】
図５（Ａ）は、ラッチ部材２０の平面図であり、図５（Ｂ）は、ラッチ部材２０の正面図である。図１及び図５に示すように、ラッチ部材２０は、錠ケース１８のハウジング部１８ａ内で戸体１２の幅方向（Ｘ方向）に沿って進退可能に設けられている。ラッチ部材２０は、ラッチ２８と、頭部３０と、軸部３２とを備える、いわゆるラッチボルトである。ラッチ部材２０は、錠ケース１８内で上下方向で略中央に設けられている。
【００２０】
軸部３２は、金属や樹脂で形成された丸棒部分である。軸部３２の軸方向で略中央には、大径のフランジ部３２ａが設けられている。ハウジング部１８ａには、軸部３２が進退可能に挿通するシリンダ部１８ｄが形成されている。フランジ部３２ａは、シリンダ部１８ｄ内に収容されることにより、ラッチ部材２０の進退範囲を規制すると共に、軸部３２に外挿されたコイルばね３４の着座板となる。コイルばね３４は、ラッチ２８が錠ケース１８外に突き出す方向（図１中で左側）にフランジ部３２ａ（ラッチ部材２０）を常時付勢している。以下、ラッチ部材２０について、ラッチ２８が錠ケース１８外に突き出す方向をラッチ突出方向と呼び、ラッチ突出方向の反対方向（図１中で右側）をラッチ没入方向と呼ぶこともある。
【００２１】
ラッチ２８は、金属や樹脂で形成された三角柱形状の部品であり、軸部３２の先端に設けられている。ラッチ２８は、取付板１８ｂに形成された開口１８ｅを通して錠ケース１８の外面（取付板１８ｂ）から出没可能である。ラッチ２８は、コイルばね３４の付勢力により、外力を受けていない状態では錠ケース１８外に突き出している。
【００２２】
戸体１２は、建物の躯体開口部に設置された枠体３６の内側で開閉可能に支持されている。枠体３６の見込み面には、ラッチ凹部３６ａが形成されている。ラッチ２８は、枠体３６に対して戸体１２が閉じられた場合にラッチ凹部３６ａに進入可能である。ラッチ２８は、戸体１２の枠体３６に対する閉方向を向いた摺動面２８ａと、戸体１２の枠体３６からの開方向を向いた係止面２８ｂとを有する（図５（Ａ）参照）。ラッチ２８は、戸体１２を閉じる際、摺動面２８ａが枠体３６に摺動することにより、コイルばね３４の付勢力に抗して錠ケース１８内に没入する。ラッチ２８は、戸体１２を閉じた際、ラッチ凹部３６ａに進入することにより、係止面２８ｂがラッチ凹部３６ａの内面で係止され、その結果、戸体１２を閉じ位置で保持する。
【００２３】
頭部３０は、軸部３２の基端に一体形成され、軸部３２よりも大径に構成された円錐台形状の部分である。頭部３０は、当接面３０ａと、基端面３０ｂと、テーパ面３０ｃとを有する。当接面３０ａは、軸部３２から外径方向に膨らむように設けられ、ラッチ２８側を向いたリング状の見込み面である。基端面３０ｂは、ラッチ部材２０の基端に位置し、ラッチ２８側とは反対側を向いた円状の見込み面である。テーパ面３０ｃは、当接面３０ａから基端面３０ｂに向かって次第に外径が縮小する先細りリング状の傾斜面である。
【００２４】
このようなラッチ部材２０には、頭部３０側を上下方向に向かって二股形状に分割する溝部３８が設けられている（図５（Ａ）参照）。溝部３８は、ラッチ部材２０の軸方向で頭部３０からラッチ２８側に向かって切り込んだスリット形状であり、基端面３０ｂから軸部３２まで延びている。ラッチ部材２０は、溝部３８を有することにより、頭部３０及びその周辺部を径方向に拡縮可能な弾性を有する。
【００２５】
図６は、カム部材２２の構成を示す斜視図である。図１及び図６に示すように、カム部材２２は、金属や樹脂で形成された部品であり、カム本体４０と、一対のアーム４２ａ，４２ｂと、受け片４４とを有する。カム部材２２は、錠ケース１８内でラッチ部材２０の頭部３０の下方に配置されている。
【００２６】
カム本体４０は、略円柱形状のブロック体である。カム本体４０には、スプライン孔４０ａと、凹部４０ｂと、ガイド部４０ｃとが設けられている。スプライン孔４０ａは、ハンドル１４の回転軸に形成されたスプラインが回転不能に嵌合する。ハンドル１４は、例えば人手によって回動可能なレバーハンドルであり、戸体１２の室内外表面にそれぞれ設けられている（図２参照）。つまりスプライン孔４０ａには、見込み方向で両側の開口からそれぞれ室内外のハンドル１４のスプラインが嵌合する。これによりカム本体４０は、ハンドル１４が図１に示す初期位置から図１中で時計方向（開方向）に回転操作された際、錠ケース１８内でハンドル１４と一体的に時計方向に回転する。凹部４０ｂは、カム本体４０の外周面４０ｄの上面側となる位置に形成され、ロック機構２４側を向いて開口している。ガイド部４０ｃは、湾曲楕円形状の凸部であり、カム本体４０の見込み方向両端面にそれぞれ設けられている。各ガイド部４０ｃは、各ハウジング部１８ａの内面に形成された湾曲楕円形状のガイド穴１８ｆに摺動可能に係合し（図１参照）、カム部材２２の回転をガイドする。
【００２７】
アーム４２ａ，４２ｂは、カム本体４０の外周面４０ｄの上面側となる位置から上方に向かって突出した角柱状部材である。アーム４２ａ，４２ｂは、所定間隔を設けて見込み方向に並んでいる。アーム４２ａ，４２ｂ間には、ラッチ部材２０の軸部３２が挿通している。アーム４２ａ，４２ｂは、シリンダ部１８ｄの外面と頭部３０の当接面３０ａとの間となる位置に配置される（図１参照）。ハンドル１４が回転操作されてカム本体４０がスプライン孔４０ａの軸心を中心として回転した際、アーム４２ａ，４２ｂは、スプライン孔４０ａの軸心を中心として旋回動作する。
【００２８】
受け片４４は、カム本体４０の外周面４０ｄの下面側となる位置から下方に向かって突出した板状部材である。受け片４４は、ラッチ２８側を向いた一面に戻し部材４５が当接している。戻し部材４５は、コイルばね４５ａによって受け片４４に当接する方向（図１中で右側）に常時付勢されている。戻し部材４５は、ハンドル１４を介してカム本体４０が開方向に回転すると、スプライン孔４０ａの軸心を中心に旋回動作する受け片４４によって押圧される。その結果、戻し部材４５は、コイルばね４５ａの付勢力に抗して図１中で左側に退動する（図３参照）。図３に示す状態からハンドル１４の操作力が開放されると、戻し部材４５は、コイルばね４５ａの付勢力によって図１中で右側に進動し、今度は受け片４４を押圧する。その結果、カム本体４０は、図３中で反時計方向（閉方向）に回転し、カム部材２２及びハンドル１４が図１に示す初期位置に戻る。
【００２９】
図１に示すように、ロック機構２４は、サムターン軸４６と、ロック部材４８と、リンク部材５０とを有する。ロック機構２４は、錠ケース１８内でカム部材２２及びラッチ部材２０の上方に配置されている。
【００３０】
サムターン軸４６は、金属や樹脂で形成され、リンク部材５０の一面から突出したボス状の突起であり、中央に長穴４６ａが形成されている。長穴４６ａには、例えば戸体１２の室内側表面に取り付けられたサムターンつまみ５２（図２参照）の回転軸に設けられた平板が嵌合する。これによりサムターン軸４６は、サムターンつまみ５２の回転操作と連動して回転する。
【００３１】
ロック部材４８は、金属や樹脂で形成され、略上下方向に延びた平板状部材である。ロック部材４８は、ラッチ部材２０の溝部３８に挿入可能な板厚を有する。ロック部材４８は、上端部に板厚方向（見込み方向）に突出した回転軸４８ａが設けられ、下端部に板厚方向に突出したガイド軸４８ｂが設けられている。回転軸４８ａは、リンク部材５０と回転可能に連結される。ガイド軸４８ｂは、ハウジング部１８ａの内面で上下方向に延びたガイド穴１８ｇに摺動可能に係合する。ロック部材４８の下端面には、下方に向かって突出したストッパ片４８ｃが設けられている。
【００３２】
リンク部材５０は、金属や樹脂で形成された板状部材である。リンク部材５０は、サムターン軸４６と一体的に回転する。リンク部材５０が回転すると、回転軸４８ａがサムターン軸４６の軸心を中心として旋回動作する。リンク部材５０の一面には、第１ピン５０ａが突設されると共に、第１ピン５０ａにはねじりコイルばね５４の一端が巻き掛けられている。ねじりコイルばね５４は、ハウジング部１８ａの内面から突出した支持柱５６に外挿支持され、他端はハウジング部１８ａの内面から突出した第２ピン５８に巻き掛けられている。これによりねじりコイルばね５４は、リンク部材５０（サムターン軸４６）を図１中で反時計方向（解錠方向）に回転させる方向に常時付勢している。つまりロック部材４８は、ねじりコイルばね５４によってカム部材２２から退避する上方へと常時付勢されている。
【００３３】
次に、本実施形態に係るラッチ錠装置１０の動作を説明する。先ず、図１に示すように、戸体１２が枠体３６に対して閉じられ、ラッチ２８がラッチ凹部３６ａに係合した状態において、ロック部材４８がカム部材２２から退避した位置（施錠位置）にある場合、ラッチ錠装置１０は解錠状態となっている。
【００３４】
この状態から戸体１２を開く際は、図１に示す初期位置にあるハンドル１４を開方向（図１中で時計方向）に回転操作する。そうすると、カム本体４０がハンドル１４と一体的に回転し、アーム４２ａ，４２ｂも図１中で時計方向に回動する。このため、図３に示すようにアーム４２ａ、４２ｂが頭部３０の当接面３０ａを図１中で右側に押圧し、コイルばね３４の付勢力に抗してラッチ部材２０をラッチ没入方向に移動させる。その結果、ラッチ２８が錠ケース１８内に没入し、ラッチ凹部３６ａとの係合状態が解除されるため、利用者は戸体１２を枠体３６から開くことができる。
【００３５】
次に、図１に示す状態からラッチ錠装置１０を施錠状態とする場合は、サムターンつまみ５２を施錠方向に回転させる。そうすると、サムターン軸４６が図１中で時計方向に回転し、ねじりコイルばね５４の付勢力に抗してリンク部材５０がサムターン軸４６と一体的に回転する。これにより、ロック部材４８が下方（施錠方向）に移動し、ストッパ片４８ｃがカム本体４０の凹部４０ｂに当接する（図４及び図６参照）。その結果、カム部材２２の開方向への回転が規制され、ラッチ錠装置１０が図４に示す施錠状態となる。この状態では、凹部４０ｂとストッパ片４８ｃとの当接により、ハンドル１４の開方向への回転操作も規制されるため、ハンドル１４を回転操作してラッチ部材２０をラッチ没入方向に移動させ、ラッチ２８をラッチ凹部３６ａから退動させることが規制される。
【００３６】
以上のように、当該ラッチ錠装置１０は、ロック部材４８のストッパ片４８ｃが、カム部材２２のアーム４２ａ，４２ｂではなく、カム本体４０に設けられた凹部４０ｂに当接してカム本体４０の回転を規制し、これにより施錠状態となる。このため、例えば図４に示す施錠状態において、ハンドル１４が極めて大きな力で開方向に強制的に回転させられた場合であっても、ストッパ片４８ｃ又は凹部４０ｂが破損する可能性があるが、アーム４２ａ，４２ｂが破損することはない。従って、このようなハンドル１４の強制回転によって凹部４０ｂが破損した場合であっても、その後のハンドル１４の開方向への回転操作により、アーム４２ａ，４２ｂを介してラッチ部材２０をラッチ没入方向に移動させることができる。その結果、ラッチ２８をラッチ凹部３６ａから退動させることができるため、戸体１２の開動作が不能となることがなく、利用者は戸体１２を開くことができる。
【００３７】
ところで、ハンドル１４が極めて大きな力で開方向に強制的に回転させられた場合には、例えば図４に示す位置からさらにカム部材２２が回転し、図７（Ａ）に示すようにアーム４２ａ，４２ｂがラッチ部材２０の頭部３０の当接面３０ａを乗り越えてしまった脱落状態となる可能性もある（図７（Ａ）参照）。この脱落状態では、カム部材２２とラッチ部材２０との当接状態が外れてしまっている。しかしながら、当該ラッチ錠装置１０は、ラッチ部材２０の基端側に溝部３８を備え、ラッチ部材２０が径方向に拡縮可能な弾性を有している。そこで、図７（Ａ）の脱落状態となった場合には、ハンドル１４を開方向とは逆の閉方向に回転操作する。そうすると、図７（Ｂ）に示すようにアーム４２ａ，４２ｂが頭部３０の外周面を円滑に摺動し（図７（Ｂ）参照）、再び図７（Ｃ）に示す通常位置に復帰し、同時にラッチ部材２０の基端側も弾性復帰して元の外径に戻る。しかもラッチ部材２０は、頭部３０にテーパ面３０ｃを備えるため、頭部３０が完全にアーム４２ａ，４２ｂを乗り越えてしまった場合でも元の状態に容易に復帰可能である。
【００３８】
他方、図４に示す施錠状態において、仮にロック機構２４が不具合を生じてロック部材４８の位置が固定されてしまうと、ストッパ片４８ｃと凹部４０ｂとの当接状態を解除不能となる。そうすると、利用者は戸体１２を開くことができなくなる恐れがある。そこで、この施錠状態の固定化を解消するため、当該ラッチ錠装置１０は、例えば次の２つの緊急解錠方法によって戸体１２を開くことができる。
【００３９】
第１の緊急解錠方法は、図４に示す初期位置で固定されたハンドル１４を極めて大きな力で開方向に強制的に回転させ、ストッパ片４８ｃ又は凹部４０ｂを破損させてその当接状態を解除する方法である。すなわち、当該ラッチ錠装置１０は、この動作によって仮にカム部材２２の凹部４０ｂが破損したとしても、アーム４２ａ，４２ｂに破損が生じることがない。このため、凹部４０ｂが破損した場合であっても、通常通りにハンドル１４を開方向に回転操作することにより、ハンドル１４と共にカム本体４０を回転させ、アーム４２ａ，４２ｂも回動させることができる。その結果、ラッチ部材２０をラッチ没入方向に移動させ、ラッチ２８をラッチ凹部３６ａから退動させることができるため、利用者は戸体１２を開くことができる。
【００４０】
なお、この場合のラッチ部材２０の移動方向には、ロック部材４８が配置されている（図８（Ａ）参照）。ところが、当該ラッチ錠装置１０は、ラッチ部材２０の基端側に溝部３８を設けているため、溝部３８にロック部材４８が進入した状態となり（図８（Ｂ）参照）、ラッチ部材２０をロック部材４８に干渉することなく移動させることができる。
【００４１】
第２の緊急解錠方法は、戸体１２の見込み面１２ａと枠体３６の見込み面との間の隙間に、例えば定規のような薄板を差し入れ、ラッチ２８の摺動面２８ａを押圧してラッチ２８を強制的に錠ケース１８内へと没入させる方法である。この際にも、図８（Ｃ）に示すように、ラッチ部材２０の溝部３８にロック部材４８が進入した状態となるため、ラッチ部材２０をロック部材４８に干渉することなく移動させることができ、利用者は戸体１２を開くことができる。但し、この第２の緊急解錠方法は、利用者が戸体１２が閉じられた状態でラッチ２８を押圧する定規等を準備できる必要がある。この点、当該ラッチ錠装置１０は、この第２の緊急解錠方法だけでなく、上記した第１の緊急解錠方法も実行できるため、戸体１２の開動作の不能状態をより確実に解消することができる。
【００４２】
なお、本発明は、上記した実施形態に限定されるものではなく、本発明の主旨を逸脱しない範囲で自由に変更できることは勿論である。
【００４３】
上記実施形態では、ロック部材４８のストッパ片４８ｃをカム本体４０の凹部４０ｂに当接させる構成を例示したが、ロック部材４８に凹部を設け、カム本体４０にこれに当接する凸部を設けた構成としてもよい。また、図９（Ａ）及び図９（Ｂ）に示すように、カム本体４０に凹部４０ｂや凸部を設けず、例えば、外周面４０ｄにロック部材４８のストッパ片４８ｃが当接可能な切欠状の当接面４０ｅを設けた構成としてもよい。つまり、ロック部材４８は、カム本体４０の回転を規制可能であれば、その当接構造（係止構造）は凹部４０ｂ、凸部、当接面４０ｅを用いた構成のいずれであってもよく、他の構成であってもよい。
【符号の説明】
【００４４】
１０  ラッチ錠装置、１２  戸体、１４  ハンドル、１６  扉装置、１８  錠ケース、２０  ラッチ部材、２２  カム部材、２４  ロック機構、２８  ラッチ、３０  頭部、３０ａ  当接面、３０ｂ  基端面、３０ｃ  テーパ面、３２  軸部、３８  溝部、４０  カム本体、４０ｂ  凹部、４０ｄ  外周面、４０ｅ  当接面、４２ａ，４２ｂ  アーム、４８  ロック部材、４８ｃ  ストッパ片
【図１】
2019183486.tif 000003
【図２】
2019183486.tif 000004
【図３】
2019183486.tif 000005
【図４】
2019183486.tif 000006
【図５】
2019183486.tif 000007
【図６】
2019183486.tif 000008
【図７】
2019183486.tif 000009
【図８】
2019183486.tif 000010
【図９】
2019183486.tif 000011